(57)【特許請求の範囲】
【請求項１】
底板型枠の底板上に、内側面に凹凸が形成された周方向側板型枠と端板型枠を額縁状に組み合わせてなるコンクリートセグメントの製造用型枠であって、
底板型枠の底板の中央部を基台で支持することにより底板の両端部に前記基台の端部位置のＢ点を中心にして下方に撓むことができる自由端部が形成され、この自由端部の先端側における端板型枠の内側面の下端位置のＡ点で端板型枠の長手方向に平行な折曲線により下方に折曲げることにより自由端部の端板型枠の設置される部分に変形部が形成され、底板に締結された端板型枠を底板に締結された周方向側板型枠に組み付けて前記変形部を上方に弾性変形させることにより正規の形状の型枠が形成されるように構成されていることを特徴とするコンクリートセグメントの製造用型枠。
【発明の詳細な説明】
【０００１】
【発明の属する技術分野】
本発明は、コンクリートセグメントの製造用型枠に関するものである。
【０００２】
【従来の技術】
コンクリートセグメントの製造用型枠１は、図４に示すように、底板型枠２の円弧状の底板２ａの上に、一対の円弧状の周方向側板型枠３，３と、一対の直線状の端板型枠４，４を額縁状に組み合わせて構成され、上方からコンクリートを打設（平打ち）することにより、コンクリートセグメントＳが製造される。
【０００３】
【発明が解決しようとする課題】
コンクリートセグメントの側面及び端面に接合等のための凹凸が設けられている場合、周方向側板型枠３と端板型枠４の内側面には、それぞれ凹凸部が複雑に形成されており、脱型する場合には、型枠をスライドさせるなどする必要があり、多くの時間と手間を要し、また、断面欠損を招き、製品として用いることが不可能となる事態を招いていた。
【０００４】
本発明は、このような問題を解消すべくなされたもので、その目的は、比較的簡単な構成で低コストの型枠により、複雑な凹凸を両側面及び両端面に有するコンクリートセグメントの脱型を簡単な作業で短時間に実施することができると共に、複雑な凹凸を両側面及び両端面に有するコンクリートセグメントを断面欠損を生ずることなく製造できるコンクリートセグメントの製造用型枠を提供することにある。
【０００５】
【課題を解決するための手段】
本発明は、底板型枠の底板上に、内側面に凹凸が形成された周方向側板型枠と端板型枠を額縁状に組み合わせてなるコンクリートセグメントの製造用型枠であって、
底板型枠の底板の中央部を基台で支持することにより底板の両端部に前記基台の端部位置のＢ点を中心にして下方に撓むことができる自由端部が形成され、この自由端部の先端側における端板型枠の内側面の下端位置のＡ点で端板型枠の長手方向に平行な折曲線により下方に折曲げることにより自由端部の端板型枠の設置される部分に変形部が形成され、底板に締結された端板型枠を底板に締結された周方向側板型枠に組み付けて前記変形部を上方に弾性変形させることにより正規の形状の型枠が形成されるように構成されていることを特徴とするコンクリートセグメントの製造用型枠である。
【０００６】
図１、図４に示すように、底板型枠の底板と周方向側板型枠は、同じ曲率の円弧状であり、例えば、底板型枠は中央部のみが支持され、底板の端板型枠が設置される両端部は、下方に撓むことができる自由端部とされ、この自由端部の適当な位置に折曲線を設け、この折曲線で折り曲げて変形部を形成する。この変形部は、底板とほぼ同じの曲率の円弧であり、底板に対して下方に所定の傾斜角で傾斜することになる。型枠を組み付ければ、変形部が上方に弾性変形し、底板に連続する円弧状の型枠底部を形成することになる。
【０００７】
また、図１に示すように、自由端部における端板型枠の内側面の下端が接当する位置Ａを折曲線とし、自由端部の先端部を下方に折り曲げられた変形部とし、脱型に際し、変形部が下方に撓み、更に、自由端部が下方に撓むようにするのが好ましい。この場合、変形部は端板型枠の下にあり、コンクリートセグメントの形状に影響を与えることがない。
【０００８】
以上のような構成において、コンクリートの打設に際し、前記変形部は、端板型枠を周方向側板型枠にボルト・ナット等で組み付けることで上方に弾性変形し、図２(a) に示すように、変形部が底板に連続した円弧状をなし、正規の形状の型枠となる。この状態でコンクリートを打設すれば、正規の形状のコンクリートセグメントが製造される。
【０００９】
養生後の脱型に際しては、周方向側板型枠を取り外すと、それまで締結されていた端板型枠が解放され、底板に設けた変形部は、端板型枠が解放されたことにより、図２(b) に示すように、その自重で下に落ち込むと共に、スプリング効果（スプリングバック）ａによりＡ点を中心にして円軌道を描いて下方に撓み、端板型枠の内側面がコンクリート表面から自然に剥離する。更に、図３に示すように、底板の自由端部は、スプリング効果ｂによりＢ点を中心にして円軌道を描いて下方に更に撓み、底板とコンクリートセグメントとが自然に分離される。
【００１０】
【発明の実施の形態】
以下、本発明を図示する実施の形態に基づいて説明する。図１は、本発明のコンクリートセグメントの製造用型枠の一実施形態を左右に分割して示したものである。図２、図３は、その脱型時の状態を順に示したものである。図４は、型枠の全体構成を示したものである。
【００１１】
図４に示すように、コンクリートセグメントの製造用型枠１は、底板型枠２の円弧状の底板２ａの上に、一対の円弧状の周方向側板型枠３，３と、一対の端板型枠４，４を額縁状に組み合わせて構成されている。底板型枠２の底板２ａは基台２ｂを介して支持架台５に支持されている。底板２ａは基台２ｂよりも長く形成され、従って端板型枠４が設置される底板２ａの両端の自由端部１０はＢ点を中心にして下方に撓むことができるようにされている。
【００１２】
図１に示すように、左右の端板型枠４，４の内側面には、凹部成型突出部４ａ、凸部成型溝部４ｂがそれぞれ形成されており、コンクリートセグメントＳの両端面に互いに嵌合する凹凸が形成される。一対の周方向側板型枠３，３の内面にも同様に突出部と溝部が形成されている。端板型枠４、周方向側板型枠３には、その他、シール溝のための突出部が形成されている。
【００１３】
周方向側板型枠３は底板２ａの上に設置され、ボルト・ナット等で締結される。端板型枠４も底板２ａの上に設置され、ボルト・ナット等で締結される。さらに、端板型枠４は一対の周方向側板型枠３，３に挟まれるように配置され、周方向側板型枠３にボルト・ナットで締結される。
【００１４】
このような構成の型枠１において、本発明では、図１に示すように、底板２ａの表面に端板型枠４の内側面の下端が接当する位置Ａが折曲線となるように曲げ加工して端板型枠４が設置される底板２ａの先端部１１を予め下方に折り曲げておく。この先端部すなわち変形部１１は、底板２ａとほぼ同じ曲率の円弧状であり、底板２ａに対して下方に所定の傾斜角で傾斜することになる。傾斜角は数°であり、適宜決定される。
【００１５】
コンクリートの打設に際し、変形部１１は、端板型枠４を周方向側板型枠３にボルト・ナット等で組み付けることで上方に弾性変形し、図２(a) に示すように、変形部１１が底板２ａに連続した円弧状をなし、正規の形状の型枠１となる。この状態でコンクリートを打設すれば、正規の形状のコンクリートセグメントＳが製造される。
【００１６】
養生後の脱型に際しては、周方向側板型枠３を取り外す。この周方向側板型枠３を取り外すと、それまで締結されていた端板型枠４が解放される。その後、底板２ａに設けた変形部１１は、端板型枠４が解放されたことにより、図２(b) に示すように、その自重で下に落ち込むと共に、スプリング効果（スプリングバック）ａによりＡ点を中心にして円軌道を描いて下方に撓み、端板型枠４の内側面がコンクリート表面から自然に剥離する。
【００１７】
更に、図３に示すように、底板２ａの自由端部１０は、スプリング効果ｂによりＢ点を中心にして円軌道を描いて下方に撓み、底板２ａとコンクリートセグメントＳとが自然に分離される。
【００１８】
凹凸部が複雑に形成されたコンクリートセグメントＳの製造用型枠の脱型に際し、従来のように型枠をスライドさせるなど、多くの時間と手間を必要とすることがなく、簡単な作業で短時間に脱型を行うことができると共に、複雑な凹凸部を有するコンクリートセグメントＳを断面欠損を生ずることなく製造できる。
【００１９】
なお、図示例は、位置Ａを折曲線としているが、これに限らず、Ａ〜Ｂ間あるいは位置Ｂに折曲線を設けることもできる。また、図示例の型枠装置に限らず、その他の構成の型枠装置にも本発明を適用できることは言うまでもない。
【００２０】
【発明の効果】
(1) 本発明は、底板型枠の底板の端板型枠が設置される部分を端板型枠の長手方向に平行な折曲線により下方に折曲げて変形部を形成し、脱型に際し、前記変形部が端板型枠の自重やスプリング効果により下方に撓み、端板型枠の内側面がコンクリート表面から自然に剥離し、更に、底板の自由端部がスプリング効果により下方に更に撓み、底板とコンクリートセグメントとが自然に分離されるようにしたため、複雑な凹凸を両側面及び両端面に有するコンクリートセグメントの脱型を簡単な作業で短時間に実施することができると共に、複雑な凹凸を両側面及び両端面に有するコンクリートセグメントを断面欠損を生ずることなく製造することができる。
【００２１】
(2) 型枠は、底板を曲げ加工して変形部を形成するだけでよいため、比較的簡単な構成で低コストの型枠とすることができる。また、既存の型枠を利用することもできる。
【図面の簡単な説明】
【図１】本発明のコンクリートセグメントの製造用型枠の一実施形態を左右に分割して示した正面図である。
【図２】図１の型枠の正面図であり、(a) はコンクリート打設後の脱型時の初期の状態、(b) は脱型時の途中の状態を示す。
【図３】図１の型枠の脱型時の最後の状態を示す正面図である。
【図４】図１の型枠の全体構成を示す斜視図である。
【符号の説明】
Ｓ……コンクリートセグメント
Ａ…折曲線
Ｂ…自由端部の起点
１……製造用型枠
２……底板型枠
２ａ…底板
２ｂ…基台
３……周方向側板型枠
４……端板型枠
５……支持架台
１０……底板の自由端部
１１……底板の先端部（変形部）
【図１】
0003648198.tif 000002
【図２】
0003648198.tif 000003
【図３】
0003648198.tif 000004
【図４】
0003648198.tif 000005